(57)【特許請求の範囲】
【請求項１】
ロープと漁網の連結方法であって、一端側にロープ係止部を設けた連結紐は前記ロープの径方向に挿通して該ロープ係止部により係止し、該ロープから伸長する他端側を前記漁網に結着するようにしたロープと漁網の連結方法。
【請求項２】
ロープと漁網の連結方法であって、連結紐に先端側を余らせてロープ係止部を設けることにより余長部を形成し、該余長部を前記ロープから突出する状態で前記連結紐を該ロープに挿通して前記ロープ係止部は該ロープ内で係止させ、該ロープから伸長する他端側を前記漁網に結着するようにしたロープと漁網の連結方法。
【発明の詳細な説明】
【技術分野】
【０００１】
本発明は、漁網にロープを連結する場合のロープと漁網の連結方法に関する。
【背景技術】
【０００２】
従来、例えば刺し網漁に使用する網とロープを連結する方法として、網の目の各々に網針を使って連結紐を手作業で順次挿通し、約３０〜５０ｃｍ間隔でロープに締結する方法が行われている。また、図１１及び図１２に示すように、網５１は網本体５２と、該網本体５２の縁の網目に挿通した目通し紐５３とから構成し、網５１をロープ５４に連結する連結紐５５は一端側５５Ａをロープ５４に、他端側５５Ｂを目通し糸５３に夫々数回巻回して締結することにより、一定の間隔で網５１とロープ５４を連結している。
【０００３】
更に、漁網の目に挿通する目通し糸で循回ループを作り、循回ループに粘着テープを通してロープの所定箇所に目通し糸を結束した後、目通し糸を引いて循回ループを絞ることで粘着テープを締め付けるようにした網とロープの連結方法が提案されている（特許文献１）。
【先行技術文献】
【特許文献】
【０００４】
【特許文献１】特開平３−２９０１３３号公報
【発明の概要】
【発明が解決しようとする課題】
【０００５】
しかし、網針を使う方法は、網針で網目を１目、１目掬って通していかなければならないし、連結紐をロープに強く締結しなければ網とロープがずれてしまうため、締結作業に多大な労力と作業時間が必要で効率的でないという欠点がある。また、図１１及び図１２に示す連結方法では、連結紐５５をロープ５４に数回巻回して締結しているため、網５１を引き揚げる時の巻き揚げ機のローラ等に擦れて連結紐が切れてしまうという欠点、連結紐５５はロープ５４に強く巻き付けて結着するには熟練した技術が必要であるという問題、そして熟練者が減少しているという問題もある。
更に、特許文献１に示す連結方法も、ロープの外周に粘着テープを巻装しているため、粘着テープがローラ等に擦れて切れてしまい網からロープが外れるという欠点がある。そして、一部の連結紐が擦り切れると網ごと交換するために費用が嵩むという問題がある。
【０００６】
本発明は上述した従来技術の諸欠点に鑑みなされたもので、漁網をロープに連結する作業が簡単で、強い力も熟練した技術も不要であるし、巻き揚げ機のローラ等に擦れて連結紐が切れる問題も解消できるロープと漁網の連結方法を提供することを目的とする。
【課題を解決するための手段】
【０００７】
上述した課題を解決するために構成した請求項１に係る本発明の手段は、ロープと漁網の連結方法であって、一端側にロープ係止部を設けた連結紐は前記ロープの径方向に挿通して該ロープ係止部により係止し、該ロープから伸長する他端側を前記漁網に結着することにある。
【０００８】
また、請求項２に係る本発明の手段は、ロープと漁網の連結方法であって、連結紐に先端側を余らせてロープ係止部を設けることにより余長部を形成し、該余長部を前記ロープから突出する状態で前記連結紐を該ロープに挿通して前記ロープ係止部は該ロープ内で係止させ、該ロープから伸長する他端側を前記漁網に結着することにある。
【発明の効果】
【０００９】
本発明は上述の如く構成したから、下記の諸効果を奏する。
（１）連結紐はロープの径方向に挿通してロープ係止部を係止させて連結する構成にしたから、連結紐が網巻き揚げ機のローラや海底の岩等で擦り切れることがないので、漁網を長期間使用することが可能になるし、コスト削減を図ることができる。
（２）従来は連結紐が擦り切れると漁網ごと廃棄していたが、本発明によれば連結紐の交換が容易であるから、漁網を無駄に廃棄する問題を解消できる。
（３）連結紐の先端側に余長部を形成して連結紐をロープに挿通し、ロープから余長部が突出するようにしたから、交換する連結紐が漁網から外れない場合に連結紐を切断して余長部を引き出すことでロープから外すことができる。
（４）連結紐はロープに数回巻回することなく連結するから、従来の方法と比して連結紐の使用量が大幅に少なくなるのでコスト節減を図ることができるし、巻回する作業が無いから連結作業の時間を大幅に短縮できる。
【図面の簡単な説明】
【００１０】
【図１】図１乃至図６は本発明の第１の実施の形態に係り、図１はロープと漁網を連結紐で連結した状態の説明図である。
【図２】図１中の部分拡大図である。
【図３】図２中のA‐A矢視方向断面図である。
【図４】図４乃至図６はロープに連結紐を挿通する作業を示し、図４はロープに錐を挿通する説明図である。
【図５】錐に連結紐を通した説明図である。
【図６】錐を引き抜いて連結紐をロープに挿通した説明図である。
【図７】第２の実施の形態に係り、連結紐をロープに挿通した状態の説明図である。
【図８】図８乃至図１０は第３の実施の形態に係り、図８は連結紐の部分斜視図である。
【図９】連結紐の正面図である。
【図１０】連結紐をロープに挿装した状態の断面図である。
【図１１】図１１及び図１２は従来技術に係り、図１１はロープと漁網を連結紐で連結した状態の説明図である。
【図１２】図１１の部分拡大図である。
【発明を実施するための形態】
【００１１】
以下、本発明の実施の形態を図面に基づき詳述する。図１乃至図６は第１の実施の形態に係り、図において、１は刺し網漁用の漁網で、該漁網１はナイロン製の網糸２Ａを菱形に絡めて多数の網目２Ｂ、２Ｂ、・・・を形成した網本体２と、該網本体２の縁の網目２Ｂ、２Ｂ、・・・に挿通した目通し糸３とから構成してある。
【００１２】
４は前記漁網１から吊った状態のナイロン製のロープで、該ローブ４は３本の小径ロープ４Ａ、４Ａ、４Ａを固く撚り合せて１本に形成してある。
５、５、・・は漁網１とロープ４を連結するためのナイロン製の複数本の連結紐を示す。該各連結紐５は、長さが約２０ｃｍあり、その一端側５Ａには加熱溶融して冷却し、或いは大きめの結び目を形成した塊状のロープ係止部５Ｂが形成してあり、該ロープ係止部５Ｂはロープ４に係止することで連結紐５がロープ４から抜け出ることなく連結させるためのものである。
他方、連結紐５の他端側５Ｃは前記目通し糸３に結着してある。
【００１３】
かくして、複数本の連結紐５、５、・・・をロープ４と漁網１の目通し糸３との間に略等間隔に連結することにより、ロープ４は漁網１に吊下された状態で支持される。
【００１４】
本実施の形態は上述の構成からなるが、次に連結の手順を図４乃至図６を参照して説明する。先ず、所定の長さに切断し、一端側５Ａにロープ係止部５Ｂを設けた連結紐５を用意し、固定台５１の溝部５１Ａにロープ４を配置して錐５２をロープ４の径方向一側４Ｂから他側４Ｃに掛けて挿通する（図４）。錐５２の先端側５２Ａに形成してある紐通し孔５２Ｂがロープ４の他側４Ｃから外方に突出したら、紐通し孔５２Ｂに連結紐５を通してセットする（図５）。
【００１５】
しかる後、錐５２をロープ４から引き抜いて連結紐５をロープ４の他側４Ｃから一側４Ｂに潜らせ、ロープ４の一側４Ｂに連結紐５の他端側５Ｃを引き出す（図６）。引き出した他端側５Ｃは目通し紐３に結着する。このように、３本の小径ロープ４Ａ、４Ａ、４Ａを固く撚ったロープ４に連結紐５を簡単かつ容易に、また大きな力を必要としないで挿通することができるから、漁網１とロープ４の連結作業を短時間で効率的に行うことができるし、熟練した技術を必要としないから労働力不足の問題も解消できる。
【００１６】
図７は第２の本実施の形態を示す。図において、６は連結紐で、該連結紐は前述の連結紐５と同様の素材からなるが、連結紐６の一側６Ａを余らせてロープ係止部６Ｂを設けることにより、余長部６Ｃを形成してある。そして、連結紐６は余長部６Ｃをロープ４の他側４Ｃから突出する状態でロープ４に挿通し、ロープ係止部６Ｂはロープ４内に係止させてある。
【００１７】
この実施の形態によれば、連結紐６を交換する場合に目通し糸３との締結が外れないとき、連結紐６を途中から切断し、余長部６Ｃをペンチ等の工具で挟んで引き出すことでロープ４から分離する作業を容易に短時間で行うことができる。
【００１８】
次に、図８乃至図１０に第３の実施の形態を示す。図において、１１は連結紐で、該連結紐１１は従来の連結紐５と同じ素材からなる紐本体１２と、該紐本体１２の一端側に成形した銛状部１３とからなっている。該銛状部１３は鋭利な先端１３Ａと、先端側に十字方向に形成した４枚の返し１３Ｂ、１３Ｂ、・・とを合成樹脂材によって一体成形したものであるが、一体成形する際に紐本体１２の先端側も一体に硬化することで連結紐１１を構成している。
【００１９】
本実施の形態によれば、連結紐１１の一端側の銛状部１３をロープ４に径方向一側４Ｂからロープ４内に完全に差し込むだけの簡単な操作で、各返し１３Ｂがロープ係止部としての機能を発揮して連結紐１１をロープ４に連結することができ、しかも複数の返し１３Ｂによって連結紐１１がロープ４から抜け出すことは確実に防止できる。なお、銛状部１３は金属材料によって成形してもよい。連結紐１１の図示しない他端側は目通し糸３に結着する点は他の実施の形態と同じである。
【００２０】
なお、本実施の形態で、銛状部１３の２枚の返し１３Ｂ、１３Ｂを軸方向に離間して形成したのは、ロープ４に差し込む時の抵抗を小さくするためである。      
また、銛状部１３はロープ４に完全に差し込むことで、巻き揚げ機のローラ等と擦れたり当たったりする事態を解決できる。
更に、銛状部１３の基端側を鋸歯状に形成し、連結紐１１の一端側を係合させることで一体化してもよい。
【００２１】
また、本発明において連結紐５、６、１１は漁網１を構成する目通し糸３に結着するものとして述べたが、網本体２の網糸２Ａに結着してもよいものである。
【００２２】
本発明はロープと漁網の連結方法に関するが、球技用ネットにロープを連結する場合にも応用できるものである。
【符号の説明】
【００２３】
１        漁網
２        網本体
４        ロープ
４Ｂ      一側
４Ｃ      他側
５、６、１１    連結紐
５Ａ、６Ａ      一端側
５Ｃ      他端側
５Ｂ、６Ｂ    ロープ係止部
６Ｂ      余長部
１３      銛状部
１３Ｂ    返し
５２      錐
５２Ｂ    紐通し孔
【要約】
【課題】例えば漁網をロープに連結する作業が簡単で、強い力も熟練した技術も不要であるし、巻き揚げ機のローラ等に擦れて連結紐が切れる問題も解消できる網とロープの連結方法を提供する。
【解決手段】網１にロープ４を連結する連結紐５は、一端側５Ａにローブ係止部５Ｂを設けてロープ４の径方向に挿通してロープ係止部５Ｂにより係止する。ロープ４から伸長する他端側は網１の目通し糸３に結着する。
【選択図】図３【図１】
0005386621.tif 000002
【図２】
0005386621.tif 000003
【図３】
0005386621.tif 000004
【図４】
0005386621.tif 000005
【図５】
0005386621.tif 000006
【図６】
0005386621.tif 000007
【図７】
0005386621.tif 000008
【図８】
0005386621.tif 000009
【図９】
0005386621.tif 000010
【図１０】
0005386621.tif 000011
【図１１】
0005386621.tif 000012
【図１２】
0005386621.tif 000013